(57)【特許請求の範囲】
【請求項１】
送風機と、この送風機を収納する本体の周囲の少なくとも一側面に開設した空気吸込み口と、前記本体の上面に開設した空気吹出し口と、この空気吹出し口に設けたガードと、を備えた送風ユニットにおいて、前記ガードに通風される間隔を有して並んだ列状のリブを備え、前記空気吸込み口が複数の側面にある場合は、前記ガードの通風方向と直交する方向の前記ガードが無い状態における送風ユニットの前記本体周囲からの騒音の指向性が最も大きくなる開口面積の一番大きい空気吸込み口のある方向に、前記ガードの騒音の指向性が前記リブの軸の横方向より小さい前記リブの軸長方向を向けたことを特徴とする送風ユニット。
【請求項２】
前記リブの軸の断面形状を、前記送風機による通風方向の縦方向寸法を横方向寸法より長く形成したことを特徴とする請求項１に記載の送風ユニット。
【請求項３】
送風機と、この送風機を収納する本体の周囲の少なくとも一側面に開設した空気吸込み口と、前記本体の上面に開設した空気吹出し口と、この空気吹出し口に設けたガードと、を備えた送風ユニットにおいて、前記ガードに通風される間隔を有して並んだ列状のリブを備え、前記ガードの通風方向と直交する方向の前記ガードが無い状態における送風ユニットの前記本体周囲からの騒音の指向性が他の側面より大きい空気吸込み口を開設した側面方向に、前記ガードの騒音の指向性が前記リブの軸の横方向より小さい前記リブの軸長方向を向けるとともに、前記リブの軸の断面形状を、前記送風機による通風方向の縦方向寸法を横方向寸法より長く形成したことを特徴とする送風ユニット。
【請求項４】
前記空気吸込み口が１側面にある場合に、前記空気吸込み口のある側面方向に、前記ガードの前記リブの軸長方向を向けたことを特徴とする請求項３に記載の送風ユニット。
【請求項５】
前記空気吸込み口が対向する２側面にある場合に、前記空気吸込み口のある側面方向に、前記ガードの前記リブの軸長方向をそれぞれ向けたことを特徴とする請求項３に記載の送風ユニット。
【請求項６】
前記リブの軸の断面形状を、前記送風機による通風方向に長い略楕円形状に形成したことを特徴とする請求項２ないし請求項５のいずれかに記載の送風ユニット。
【請求項７】
前記ガードをプラスチック部材により形成したことを特徴とする請求項１ないし請求項６のいずれかに記載の送風ユニット。
【請求項８】
前記請求項１ないし請求項７のいずれかに記載の送風ユニットが、その本体内部に熱交換器を備えた空気調和機の室外ユニットであることを特徴とする空気調和機の室外ユニット。
【請求項９】
前記請求項１ないし請求項７のいずれかに記載の送風ユニットが、その本体内部に熱交換器を備えた冷蔵庫やショーケース等の冷凍機の室外ユニットであることを特徴とする冷凍機の室外ユニット。
【発明の詳細な説明】
【０００１】
【発明の属する技術分野】
この発明は、空気調和機の室外ユニットや冷凍機の室外ユニット等の送風機を備えた送風ユニットの騒音を低減できる構成に関するものである。
【０００２】
【従来の技術】
図１７は例えば実開平３−５７３２７号公報に示された従来の空気調和機の室外ユニットの斜視図である。図において、１０１は空気調和機の室外ユニットの本体（以下室外ユニット本体と称す）、１０６ａは正面空気吸込み口、１０６ｂは背面空気吸込み口、１０７ａ，１０７ｂはそれぞれ熱交換器、１０３ａ，１０３ｂはそれぞれ左右側面板、１０４は上面板、１１２はプロペラファン、１１４は空気吹出し口１１３に設けた吹出しガードである。
【０００３】
次に動作について説明する。プロペラファン１１２の回転により、正面空気吸込み口１０６ａと背面空気吸込み口１０６ｂから外気を吸込み、プロペラファン１１２の下流に設けられた吹出しガード１１４から室外ユニット本体１の外へ吹き出される。この時、室外ユニット本体１に吸い込まれる空気は、途中熱交換器１０７ａ，１０７ｂを通過する際に、熱交換を行うものである。
【０００４】
【発明が解決しようとする課題】
従来の空気調和機の室外ユニットは以上のように構成されているので、吹出しガード１１４部分のみから生じる送風による周囲への騒音は指向性が特に無くほぼ均一なものであるが、室外ユニット本体１０１の周囲からの騒音は、正面空気吸込み口１０６ａ及び背面空気吸込み口１０６ｂ側が左右側面板１０３ａ，１０３ｂ等の他の面よりも開口面が広く、室外ユニット内部からの音が洩れやすいため、室外ユニットの外で観測される騒音は空気吸込み口１０６ａ，１０６ｂのある方向の図１７のｘ方向で他の方向である図のｙ方向よりも大きくなり、ユニットの騒音の最大騒音が大きいという課題があった。
【０００５】
この発明は、上記のような課題を解消するためになされたもので、空気調和機の室外ユニット等の送風機を備えた送風ユニットの周囲で、極端に騒音が大きくなる方向がなく、装置の最大騒音を小さくでき、また、騒音全体を小さくできる送風ユニット又は空気調和機の室外ユニット及び冷凍機の室外ユニットを得ることを目的としている。
【０００６】
【課題を解決するための手段】
請求項１に係わるこの発明の送風ユニットは、送風機と、この送風機を収納する本体の周囲の少なくとも一側面に開設した空気吸込み口と、前記本体の上面に開設した空気吹出し口と、この空気吹出し口に設けたガードと、を備えた送風ユニットにおいて、前記ガードに通風される間隔を有して並んだ列状のリブを備え、前記空気吸込み口が複数の側面にある場合は、前記ガードの通風方向と直交する方向の前記ガードが無い状態における送風ユニットの前記本体周囲からの騒音の指向性が最も大きくなる開口面積の一番大きい空気吸込み口のある方向に、前記ガードの騒音の指向性が前記リブの軸の横方向より小さい前記リブの軸長方向を向けたものである。
【０００７】
請求項２に係わるこの発明の送風ユニットは、前記リブの軸の断面形状を、前記送風機による通風方向の縦方向寸法を横方向寸法より長く形成したものである。
【０００８】
請求項３に係わるこの発明の送風ユニットは、送風機と、この送風機を収納する本体の周囲の少なくとも一側面に開設した空気吸込み口と、前記本体の上面に開設した空気吹出し口と、この空気吹出し口に設けたガードと、を備えた送風ユニットにおいて、前記ガードに通風される間隔を有して並んだ列状のリブを備え、前記ガードの通風方向と直交する方向の前記ガードが無い状態における送風ユニットの前記本体周囲からの騒音の指向性が他の側面より大きい空気吸込み口を開設した側面方向に、前記ガードの騒音の指向性が前記リブの軸の横方向より小さい前記リブの軸長方向を向けるとともに、前記リブの軸の断面形状を、前記送風機による通風方向の縦方向寸法を横方向寸法より長く形成したものである。
【０００９】
請求項４に係わるこの発明の送風ユニットは、前記空気吸込み口が１側面にある場合に、前記空気吸込み口のある側面方向に、前記ガードの前記リブの軸長方向を向けたものである。
【００１０】
請求項５に係わるこの発明の送風ユニットは、前記空気吸込み口が対向する２側面にある場合に、前記空気吸込み口のある側面方向に、前記ガードの前記リブの軸長方向をそれぞれ向けたものである。
【００１１】
請求項６に係わるこの発明の送風ユニットは、前記リブの軸の断面形状を、前記送風機による通風方向に長い略楕円形状に形成したものである。
【００１２】
請求項７に係わるこの発明の送風ユニットは、前記ガードをプラスチック部材により形成したものである。
【００１４】
請求項８に係わるこの発明の空気調和機の室外ユニットは、前記請求項１ないし請求項７のいずれかに記載の発明の送風ユニットが、その本体内部に熱交換器を備えた空気調和機の室外ユニットとしたものである。
【００１５】
請求項９に係わるこの発明の冷凍機の室外ユニットは、前記請求項１ないし請求項７のいずれかに記載の発明の送風ユニットが、その本体内部に熱交換器を備えた冷蔵庫やショーケース等の冷凍機の室外ユニットとしたものである。
【００１６】
【発明の実施の形態】
実施の形態１．
図１〜図４はこの発明の実施の形態１である空気調和機の室外ユニットを示す図で、図１は空気調和機の室外ユニットの斜視図、図２は図１の空気調和機の室外ユニットの構造を概念的に表す縦断面図、図３は図１の空気調和機の室外ユニットの構造を概念的に表す横断面図、図４は吹出しガードのリブの要部横断面図である。また、方向を分かりやすく説明するためｘｙｚの軸座標を表示する。図において、１は空気調和機の室外ユニットの本体（以下、室外ユニット本体と称す）で、周囲をそれぞれ鉄等の金属部材等よりなる正面板２ａ、背面板２ｂ、左右側面板３ａ、３ｂで形成し、上下面をそれぞれ上面板４、底板５とで箱状に形成している。
【００１７】
６ａ，６ｂはそれぞれ正面板２ａ、背面板２ｂに開設した正面空気吸込み口と背面空気吸込み口である。７ａ，７ｂは内部に冷媒を循環させる冷媒流路を有し、アルミのフィン等を空気が流通する間隔をあけて積層した熱交換器で、それぞれ正面空気吸込み口６ａと背面空気吸込み口６ｂに対向して室外ユニット本体１の前後に配置している。８は室外ユニット本体１の下部に仕切板９により区画形成した機械室で、圧縮機１０を配置している。
【００１８】
１１は上面板４に開設した円形の開口部で、この開口部に送風機であるプロペラ式のファン１２を設けている。１３は室外ユニット本体１からの送風が吹き出される室外ユニット本体１上部の空気吹出し口で、ファン１２の下流側の空気吹出し口１３を覆うガードである吹出しガード１４を設けている。この吹出しガード１４は、室外ユニット本体１内への異物の混入防止や、作業者の手が入らないようにファン１２から保護する働きをするもので、この実施の形態では成形しやすいようにポリプロピレン等のプラスチック部材により形成しており、通風される間隔を有して一方向に長く並んだ列状の複数のリブ１４ａを備え、このリブ１４ａの軸長方向を室外ユニット本体１の前後方向である図１のＸ軸方向、つまり空気吸込み口６ａ，６ｂの方向に向けて配置している。なお、リブ１４ａの間隔は送風や騒音に影響を及ぼさないようにできるだけ広い間隔が望ましいが、上記のとおり人の手の指が入らない間隔で、できるだけ広い間隔にしている。
【００１９】
また、この吹出しガード１４のリブ１４ａについてさらに詳しく説明する。図４は吹出しガード１４のリブ１４ａの要部横断面を示すもので、図において１５ａはファン１２による通風方向である縦方向（ｚ方向）の厚さ寸法、１５ｂは横方向（ｙ方向）の厚さ寸法である。吹出しガード１４に必要な要求特性の一つに、外側の上方から（図ではｚ方向から）力が加わっても決められた以上に変形、破壊しない耐力がある必要があり、この特性に対しては断面の縦方向寸法が大きく関わるため、縦方向寸法１５ａを横方向寸法１５ｂよりも長くすることにより、必要な耐力を有する条件にて横断面寸法１５ｂを小さくしている。そして、これにより吹出しガード１４の開口率を大きく採り、つまり開口面積を広くし、送風の流れの抵抗を抑えて、ファン１２による通風の騒音を小さくできるとともに、吹出しガード１４を通過する風の流速を抑えて発生する騒音を小さくすることができるので、結果として室外ユニットの騒音を更に小さくするという効果を得ることができるものである。
【００２０】
なお、この実施の形態ではリブ１４ａをファン１２の送風による通風方向に長い楕円形状にして、上下に丸く窄まるように形成しているので、吹出される風がスムーズに流れて吹出しガード１４部分の騒音を小さくできるとともに、プラスチック部材によりリブの形状を成型する際、断面の楕円形状の一番膨らむ部分で上下に成形型を分割して形成すればリブ１４ａを成形することができ、また楕円により成形型から取り出しやすいため、成型がしやすいという効果もある。
【００２１】
次に室外ユニットの動作について説明する。空気調和機が運転されて室外ユニット本体１のファン１２が回転すると、その送風作用により正面空気吸込み口６ａおよび背面空気吸込み口６ｂから外部空気が室外ユニット本体１内に吸い込まれる。そして、外部空気が熱交換器７ａ，７ｂを通過する際に、熱交換器７ａ，７ｂ内の冷媒流路を循環し、空気調和機の冷暖房の運転等により外部空気よりも高温または低温状態の冷媒と熱交換が行われる。次いで、熱交換機７ａ，７ｂを通過し、室外ユニット本体１内に吸い込まれた空気は、ファン１２により空気吹出し口１３の吹出しガード１４を通過して室外ユニット本体１の上方から外部へと吹き出される。また、冷媒は機械室８に設けられた圧縮機１０の圧縮作用により室外ユニットの冷媒流路および連通する室内ユニット（図示せず）の冷媒流路内を循環する。
【００２２】
次に室外ユニットの騒音について説明する。室外ユニット本体１の周囲で聞こえる騒音の主な音源としては、圧縮機１０などの冷媒回路要素部品とファン１２及び吹出しガード１４が挙げられる。これらの音源から発生する騒音の一部は直接室外ユニット本体１外部へ放射され、またその一部は室外ユニット本体１内部へ放射される。そして室外ユニット本体１内部へ放射された音は室外ユニット本体１を囲む部材の透過率が大きい部分ほど音の透過量も多く室外ユニット本体１の外へ伝播される。つまり、室外ユニット本体１を囲む部材のうち正面板２ａ、背面板２ｂ、左右側面板３ａ，３ｂは鉄等の金属部材が使われることが多く、また塞がれているため透過率が比較的小さいが、熱交換器７ａ，７ｂが配置された正面空気吸込み口６ａ及び背面空気吸込み口６ｂ分部は空気が通過するように開口した風路を有するために音の透過率が最も大きい。このため吹出しガード１４の通風方向と直交する方向の空気吸込み口６ａ，６ｂのある方向である図１のｘ方向で音の透過が大きく、つまりこの室外ユニット本体１ではその形態の特性として、他の騒音発生源に大きな指向性の変化があるなどの特別な条件がない場合、通常は空気吸込み口６ａ，６ｂのある方向に音の指向性を有し、騒音が大きくなる。すなわち、図１の室外ユニット本体１では吹出しガード１４がない状態で、室外ユニット本体１の側面周囲からの騒音を計測すると特に前後方向のｘ軸方向で音の指向性（騒音）が大きく、左右方向のｙ方向で指向性が小さくなる。
【００２３】
次に吹出しガード１４の騒音について説明する。本実施の形態１では、室外ユニット本体１の空気吸込み口６ａ，６ｂ側であるｘ方向に向いたリブ１４ａから吹出しガード１４が構成されているので、吹出しガード１４で発生する騒音の指向性はｘ軸方向で小さく、騒音が小さくなる。このことについて技術的に説明する。図５は流体音工学の技術書などに紹介されている円柱の空気音の指向性を示す図である。図ではリブ１４ａに相当する円柱１６の軸に垂直な方向のｚ方向から気流１７を吹きつけた場合の円柱１６の軸の横方向であるｘｙ平面と、軸の長手方向であるｙｚ平面におけるそれぞれの等音圧線１８ａ、１８ｂの形を示している。図から分かるように軸の長手方向のｘ方向への音の指向性は、軸の横方向のｙ方向より小さく、騒音が小さくなるわけである。
【００２４】
また、次に吹出しガード１４とファン１２とを組合せた時の音の指向性の違いを通風無響室にて試験した例を説明する。図６はこの発明の実施の形態１を示す吹出しガードの音の指向性試験の配置を説明する斜視図であり、図７は図６の試験の横から見た断面図である。図において１９ａ、１９ｂはそれぞれ音を検出するマイクロフォン、２０はファン１２を任意の回転数で回転させるモータ等の駆動装置、２１は室外ユニット本体１の空気吹出し口１３部分を想定する通風室、２２は外部からの音が入らず、また、内部で発生した音が反響しないようにした音の計測用の無響室である。そして、実施の形態１の室外ユニットの空気吹出し口１３部分を想定して、吹出しガード１４のリブ１４ａの長手の軸長方向は図６のｘ方向に揃え、かつ、吹出しガード１４の奥にはプロペラファン１２を配置し、風がファン１２から吹出しガイド１４の方向であるｚ方向へ流れるようにして、ファン１２からの風量を変化させ、その時の騒音を図に示した２箇所の位置のマイクロフォン１９ａ、１９ｂにて測定したものである。
【００２５】
２つのマイクロフォン１９ａ，１９ｂの位置は吹出しガード１４の中心から同じ距離に有り、１９ａのマイクロフォンは吹出しガード１４中心を中心にしてｚ軸からｘｚ平面上をｘ軸方向に、１９ｂのマイクロフォンは吹出しガード１４中心を中心にしてｚ軸からｙｚ平面上をｙ軸方向に同じ角度（この実験では４５ｄｅｇ）傾けている。つまり１９ａのマイクロフォンは吹出しガード１４のリブ１４ａの軸長に沿った方向のｘ方向への騒音の指向性を、１９ｂのマイクロフォンは吹出しガード１４のリブ１４ａの軸と平行な方向のｙ方向への指向性を測定したものである。図８がその結果であるが、実線がマイクロフォン１９ａで測定した騒音レベル、破線がマイクロフォン１９ｂで測定した騒音レベルであり、明らかに実線のマイクロフォン１９ａで観測されたｘ軸方向の騒音が破線のマイクロフォン１９ｂで観測されたｙ軸方向の騒音より低く、つまり、リブ１４ａの軸長方向への騒音が軸の横方向の騒音に比べて低いことがわかる。
【００２６】
次に実施の形態１の室外ユニット本体１の吹出しガード１４の効果について詳述する。室外ユニット本体１の大きさは、設置場所への搬入の容易性、設置作業の容易性などの関係から人の背丈よりも極端に大きくなることは少なく、室外ユニット本体１の上方に空気を吹出すこの実施の形態１のユニット形態では、吹出しガード１４の位置は人の耳元よりも少し低いかもしくは近い高さとなり、つまり、吹出しガード１４が室外ユニット本体１の騒音に与える影響は大きいわけである。
【００２７】
そこで、この実施の形態１のように吹出しガード１４を装着しない状態の室外ユニット本体１の形態による騒音の指向性特性とこの吹出しガード１４の騒音の指向性特性との方向をずらして配置することにより、室外ユニット本体１の形態による騒音の指向性の大きい方向である空気吸込口６ａ，６ｂのある方向のｘ方向で騒音を観測する場合、吹出しガード１４の騒音の指向性をずらしたとしても騒音を左右側面板３ａ，３ｂのある方向のｙ方向で観測する場合よりも大きくなるケースもあるが、吹出しガード１４からの騒音はリブ１４ａにより指向性が小さい向きとなっているので、極端に騒音が大きくなることがなく、室外ユニット全体としての騒音を従来に比べ小さく抑えることができる。また、リブ１４ａを設けるだけの容易な構成で吹出しガード１４に音の指向性を得られるわけである。
【００２８】
また、室外ユニット本体１の形態による騒音指向性の小さい方向である左右側面板３ａ，３ｂの方向のｙ方向で騒音を観測する場合には、左右側面板３ａ，３ｂにより室外ユニット本体１の音の指向性が小さいので全体としての騒音が大きくなることが抑えられている。よって、本実施の形態１では、室外ユニット本体１の騒音を抑えた空気調和機の室外ユニットを得ることができ、実際に製作した試験機の一例によれば、騒音が最大となる空気吸い込み口６ａまたは６ｂの方向の室外ユニット本体１から１ｍ離れた底板５から高さ１ｍの位置で、従来品に比べ２ｄＢＡの騒音を低下させる実験結果を得ることができた。つまり、室外ユニット本体１の騒音の最大値を２ｄＢＡ低下させることができたわけである。
【００２９】
実施の形態２．
図９はこの発明の実施の形態２を示す空気調和機の室外ユニットの斜視図である。なお、上記実施の形態１と同一又は相当部分には同一符号を付し、詳細な説明を省略する。上記実施の形態１では吹出しガード１４と上面板４が別体のものを示したが、図９に示すように、上面板４と吹出しガード１４が繋がる構造として一体に形成してもよい。このような構造においても、室外ユニット本体１と吹出しガード１４との騒音の指向性の特性は同様であるので、実施の形態１と同様に騒音を抑えた空気調和機の室外ユニットを得られるという効果があり、また更に、上面板４と吹出しガード１４が同一材料で一体成形しているので、部品点数や材料数低減及び製造工程数低減などにより製造コストを抑えることができ、本実施の形態によれば騒音を抑えた空気調和機の室外ユニットを低コストで得られるという効果もある。
【００３０】
実施の形態３．
図１０はこの発明の実施の形態３を示す空気調和機の室外ユニットの斜視図である。なお、上記実施の形態１と同一又は相当部分には同一符号を付し、詳細な説明を省略する。上記実施の形態１では熱交換器７ａ，７ｂが室外ユニット本体１の前後にあって空気吸込み口６ａ，６ｂが室外ユニット本体１の前後にあるものを示したが、この実施の形態では断面略コ字形状の熱交換器７ｃを設け、正面板２ａの正面空気吸込み口６ａの他に熱交換器７ｃに対応して左右側面板３ａ，３ｂにそれぞれ左側面空気吸込み口６ｃと右側面空気吸込み口６ｄを開口している。そして、これら３つの空気吸込み口６ａ，６ｃ，６ｄの内、最も開口面積が大きいのは正面板２ａに開設する正面空気吸込み口６ａである。なお、この実施の形態では背面板２ｂには空気吸込み口は不要であるため設けられていない。
【００３１】
そして、その他は実施の形態１と同様に上面板４には円形の開口部１１があり、その開口部１１にはファン１２が設置され、ファン１２の下流側には吹出しガード１４が設置されており、この吹出しガード１４には主に一方向に並んだ列状かつ列の軸方向が室外ユニット本体１の正面空気吸込み口６ａのある方向（ｘ方向）に向けたリブ１４ａが形成されている。
【００３２】
次にこの実施の形態の室外ユニットによる騒音の指向性特性について説明する。室外ユニット本体１の音の透過率が大きい空気吸込み口６ａ，６ｃ，６ｄは３方向にあるが、正面板２ａにある正面空気吸込み口６ａが最も面積が大きいために正面板２ａ側のｘ方向の騒音の指向性が最も大きくなる。そして、吹出しガード１４の騒音については、この正面板２ａの方向であるｘ軸方向に向いたリブ１４ａから吹出しガード１４が構成されているので、吹出しガード１４の騒音の指向性は正面板２ａの方向であるｘ軸方向で小さくなる。
【００３３】
この吹出しガード１４を考慮しない場合の室外ユニット１の騒音の指向性の大きい方へ、吹出しガード１４の騒音の指向性の小さい方を組み合わせることにより、室外ユニット本体１の騒音指向性の大きい方向である正面吸込口６ａのｘ方向で騒音を観測する場合、吹出しガード１４の騒音低減の効果があったとしても、騒音を左右側面板３ａ，３ｂの方向であるｙ方向で観測する場合よりも大きくなるケースもあるが、吹出しガード１４からの騒音は指向性が小さい向きとなっているので、上記実施の形態１と同様に室外ユニット全体としての騒音が大きくなることを抑えることができ、騒音を抑えた空気調和機の室外ユニットを同様に得ることができる。
【００３４】
実施の形態４．
図１１はこの発明の実施の形態４を示す空気調和機の室外ユニットの空気吹出し口部分の要部縦断面図である。なお、上記実施の形態と同一又は相当部分には同一符号を付し、詳細な説明を省略する。上記実施の形態１〜３では吹出しガード１４のリブ１４ａが平らなものを示したが、図１１に示すようにリブ１４ａの列の横から見た形状を室外ユニット本体１の外側へ膨らんだ反りを持つ形状としてもよい。このようにすると外からの力に対する耐力が増して、リブ１４ａの断面を小さくして吹出しガード１４の開口率を大きく採り、流れの抵抗を抑えて、ファン１２の騒音を小さくできるとともに、吹出しガード１４を通過する流速を抑えて発生する騒音を小さくすることができるので、結果として室外ユニットの騒音を更に小さくできるものが得られるという効果がある。
【００３５】
実施の形態５．
図１２はこの発明の実施の形態５を示す空気調和機の室外ユニットの上面図である。なお、上記実施の形態１〜４と同一又は相当部分には同一符号を付し、詳細な説明を省略する。上記実施の形態１〜４では吹出しガード１４を一方向のｘ軸方向に向いたリブ１４ａから構成したものを示したが、図１２に示すように他の方向の例えばｙ軸方向にも必要な強度を確保するためにリブ１４ｂを設けてもよい。その時には主となるリブ１４ａよりも本数を減らして、リブ１４ａの長手の軸長方向で騒音が小さくなるという騒音の指向性を失わない程度に他の方向のリブ１４ｂを追加すれば良く、上記実施の形態と同様に室外ユニットの騒音を低減できるという同様の効果を奏する。なお、リブ１４ａの形成の一例を説明すると、吹出しガード１４全体をプラスチック部材のポリプロピレンにより形成し、横方向のリブ１４ｂを適宜設け、リブ１４ａについては、リブ１４ａの軸の断面形状のファン１２の通風方向の縦方向寸法の最大部分を１２ｍｍ，横方向寸法の最大部分を３ｍｍとし、リブ１４ａとリブ１４ａの列の隙間を手の指がファン１２に触ることがないように１１ｍｍ〜１３ｍｍとして形成した。
【００３６】
実施の形態６．
図１３はこの発明の実施の形態６を示す空気調和機の室外ユニットで、（ａ）は上面図、（ｂ）は正面図である。なお、上記実施の形態と同一又は相当部分には同一符号を付し、詳細な説明を省略する。上記実施の形態１〜５では吹出しガード１４が室外ユニット本体１に対して一個のものを示したが、図１３に示すように大きな室外ユニット本体１の場合は複数の吹出しガード１４を設けてもよく、この実施の形態では６個の吹出しガード１４を設けたものであり、このようなものでも上記実施の形態と同様に騒音を低減できる効果が得られる。
【００３７】
実施の形態７．
図１４はこの発明の実施の形態７を示す図１２に相当する空気調和機の室外ユニットの上面図である。なお、上記実施の形態５と同一又は相当部分には同一符号を付し、詳細な説明を省略する。上記実施の形態５では室外ユニット本体１の前後に空気吸込み口６ａ，６ｂがあるものを示したが、この実施の形態では室外ユニット本体１の周囲の空気吸込み口が正面空気吸込み口６ａのみの場合を示している。この場合であっても吹出しガード１４を考慮しない場合に室外ユニット本体１の周囲面で騒音が１番大きくなる正面空気吸込み口６ａ側分部の吹出しガード１４を装着した際の騒音を同様に小さくでき、室外ユニットの騒音を小さくできるという効果は上記実施の形態と同様に得られる。
【００３８】
実施の形態８．
図１５はこの発明の実施の形態８を示す図１４に相当する空気調和機の室外ユニットの上面図である。なお、上記実施の形態７と同一又は相当部分には同一符号を付し、詳細な説明を省略する。上記実施の形態７では室外ユニット１の空気吸込み口が正面空気吸込み口６ａの一面のみの場合に実施の形態５と同様なリブ１４ａ形状の吹出しガード１４を設けるものを示したが、この場合、背面板２ｂ側は空気吸込み口がないので、騒音が洩れにくいため背面板２ｂの近傍側の吹出しガード１４のリブ１４ｃを、リブ１４ａによる正面空気吸込み口６ａ側の騒音が小さくなるという吹出しガード１４の音の指向性に影響を及ぼさない範囲であれば、空気抵抗や手が入らないような大きさにすればよいだけであり、リブ１４ａの方向と異なっても、上記実施の形態と同様の効果が得られる。
【００３９】
実施の形態９．
図１６はこの発明の実施の形態９を示す図１２に相当する空気調和機の室外ユニットの上面図である。なお、上記実施の形態５と同一又は相当部分には同一符号を付し、詳細な説明を省略する。上記実施の形態５では室外ユニット１の前後に空気吸込み口６ａ，６ｂがあるものを示したが、この実施の形態では熱交換器７ｄが略Ｌ字形状で、室外ユニット本体１の周囲の空気吸込み口が正面空気吸込み口６ａと左側面空気吸込み口６ｃのみの場合を示している。この場合、吹出しガイド１４がない場合の室外ユニットの周囲の騒音の指向性は左側面空気吸込み口６ｃと正面空気吸込み口６ａ方向で強くなるため、吹出しガード１４のリブ１４ａの騒音の指向性が小さくなる長手方向を左側面空気吸込み口６ｃと正面空気吸込み口６ａの合わせ部分となる斜め方向に向けてもよい。このようにしても、室外ユニット本体１の騒音を低減できるものが得られる効果がある。
【００４０】
また、上記実施の形態では室外ユニット本体１の周囲側面から空気を吸い込み、上方へ吹出す形態の空気調和機の室外ユニットに適用したものを示したが、特にこの形態の場合、吹出しガイド１４の部分が人の立った状態の耳の近傍になるため、騒音の低減効果が著しく得られるものであるが、他の形態の空気調和機の室外ユニットにも適用可能であり、吹出しガード１４の通風方向と直交する方向の吹出しガード１４が無い状態における室外ユニットの本体１の騒音の指向性の大きい方向に、吹出しガード１４の騒音の指向性の小さい方向を向けて配置すればよく、室外ユニット全体の騒音を低減できる効果は同様に得られる。
【００４１】
また、上記実施の形態１ではリブ１４ａの軸の断面形状の楕円形状を上下に均一な整った楕円としたが、これに限定されるものでなく、上下の一方の円が多少大きく他方が多少小さいものでも、また、多少いびつであってもよく同様の効果が得られる。また、上記実施の形態ではリブ１４ａとリブ１４ａ間の間隔が同一の例を示したが、異なった間隔であったり、リブ１４ａの太さも均一でないものであっても音の指向性がリブ１４ａの軸長方向で小さくなるものであればよく、上記実施の形態と同様の効果を奏する。また、上記実施の形態では、リブ１４ａをプラスチック部材により形成したものを示したが、高価となりやすいが、金属部材であってもよい。
【００４２】
また、上記実施の形態ではファン１２の下流側である空気吹出し口１３側に設けた吹出しガード１４のリブ１４ａの構成にて騒音を低下させるものを示したが、ファン１２の上流側の空気吸込み口側にガードがある場合、そのガードに吹出しガード１４のリブ１４ａと同様の構成及び配置を適用してもよく、上記実施の形態と同様に騒音を低減できるものが得られる効果がある。
【００４３】
また、上記実施の形態では空気調和機の室外ユニットついて説明してきたが、業務用冷蔵庫やショーケース等の冷凍機の室外ユニットはその構造、作用が類似しており、特に騒音指向性に関しても殆ど同じである。このため、本発明を冷凍機の室外ユニットに実施してもよく、同様に騒音を抑えた冷凍機の室外ユニットを得られるという効果がある。
【００４４】
また、空気調和機や冷凍機の室外ユニットの他、送風機を備えた他の送風ユニットにおいても同様にこの発明を適用でき、送風ユニットの騒音を同様に小さくできるものが得られる効果がある。なお、空気調和機の室外ユニットや冷凍機の室外ユニットの場合は、他の送風ユニットに比べて、特に屋外に設置されるケースが多いため、騒音低減による環境への配慮の効果が大きいものが得られる。
【００４５】
【発明の効果】
以上、説明したとおり第１の発明に係わる送風ユニットは、送風機と、この送風機を収納する本体の周囲の少なくとも一側面に開設した空気吸込み口と、前記本体の上面に開設した空気吹出し口と、この空気吹出し口に設けたガードと、を備えた送風ユニットにおいて、前記ガードに通風される間隔を有して並んだ列状のリブを備え、前記空気吸込み口が複数の側面にある場合は、前記ガードの通風方向と直交する方向の前記ガードが無い状態における送風ユニットの前記本体周囲からの騒音の指向性が最も大きくなる開口面積の一番大きい空気吸込み口のある方向に、前記ガードの騒音の指向性が前記リブの軸の横方向より小さい前記リブの軸長方向を向けたので、送風ユニット本体とガードの両者の音が相乗して極端に騒音が大きくなることがなく、騒音を小さくできる送風ユニットを得られ、また、ガードの位置が上方にあってガードの騒音が人の耳元の近傍になるため、特に騒音低減の効果が顕著に得られるという効果がある。また、さらに容易な構成で騒音を小さくできる送風ユニットを得られるという効果がある。
【００４６】
請求項２に係るこの発明の送風ユニットは、前記リブの軸の断面形状を、前記送風機による通風方向の縦方向寸法を横方向寸法より長く形成したので、ガードの開口面積を広くでき、ガード部分の騒音を小さくできるものが得られる効果がある。
【００４７】
請求項３に係るこの発明の送風ユニットは、送風機と、この送風機を収納する本体の周囲の少なくとも一側面に開設した空気吸込み口と、前記本体の上面に開設した空気吹出し口と、この空気吹出し口に設けたガードと、を備えた送風ユニットにおいて、前記ガードに通風される間隔を有して並んだ列状のリブを備え、前記ガードの通風方向と直交する方向の前記ガードが無い状態における送風ユニットの前記本体周囲からの騒音の指向性が他の側面より大きい空気吸込み口を開設した側面方向に、前記ガードの騒音の指向性が前記リブの軸の横方向より小さい前記リブの軸長方向を向けるとともに、前記リブの軸の断面形状を、前記送風機による通風方向の縦方向寸法を横方向寸法より長く形成したので、送風ユニット本体とガードの両者の音が相乗して極端に騒音が大きくなることがなく、騒音を小さくできる送風ユニットを得られ、また、ガードの位置が上方にあってガードの騒音が人の耳元の近傍になるため、特に騒音低減の効果が顕著に得られるという効果がある。また、さらに容易な構成で騒音を小さくできる送風ユニットを得られる効果がある。また、さらにガードの開口面積を広くでき、ガード部分の騒音を小さくできるものが得られる効果がある。
【００４８】
請求項４に係るこの発明の送風ユニットは、前記空気吸込み口が１側面にある場合に、前記空気吸込み口のある側面方向に、前記ガードの前記リブの軸長方向を向けたので、空気吸込み口の方向の騒音が極端に大きくなることがなく、騒音を小くできる送風ユニットを得られるという効果がある。
【００４９】
請求項５に係るこの発明の送風ユニットは、前記空気吸込み口が対向する２側面にある場合に、前記空気吸込み口のある側面方向に、前記ガードの前記リブの軸長方向をそれぞれ向けたので、空気吸込み口の方向の騒音が極端に大きくなることがなく、騒音を小さくできる送風ユニットを得られるという効果がある。
【００５０】
請求項６に係るこの発明の送風ユニットは、前記リブの軸の断面形状を、前記送風機による通風方向に長い略楕円形状に形成したので、楕円形状により送風がスムーズに流れてガード部分の騒音を小さくできるという効果がある。
【００５１】
請求項７に係るこの発明の送風ユニットは、前記ガードをプラスチック部材により形成したので、リブの形状を成型しやすいという効果がある。
【００５３】
請求項８に係るこの発明の空気調和機の室外ユニットは、前記請求項１ないし請求項７のいずれかに記載の送風ユニットが、その本体内部に熱交換器を備えた空気調和機の室外ユニットとしたので、騒音の小さな空気調和機の室外ユニットを得られるという効果があり、特に空気調和機の室外ユニットは屋外に設置されるケースが多いため、騒音低減による環境への配慮の効果が大きいものが得られる効果がある。
【００５４】
請求項９に係るこの発明の冷凍機の室外ユニットは、前記請求項１ないし請求項７のいずれかに記載の送風ユニットが、その本体内部に熱交換器を備えた冷蔵庫やショーケース等の冷凍機の室外ユニットとしたので、騒音の小さな冷凍機の室外ユニットを得られるという効果があり、特に冷凍機の室外ユニットは屋外に設置されるケースが多いため、騒音低減による環境への配慮の効果が大きいものが得られる効果がある。
【図面の簡単な説明】
【図１】  この発明の実施の形態１を示す空気調和機の室外ユニットの斜視図である。
【図２】  この発明の実施の形態１を示す図１の空気調和機の室外ユニットの構造を概念的に表す縦断面図である。
【図３】  この発明の実施の形態１を示す図１の空気調和機の室外ユニットの構造を概念的に表す横断面図である。
【図４】  この発明の実施の形態１を示す吹出しガードのリブの要部横断面図である。
【図５】  流体音工学の技術書などに紹介されている円柱の空気音の指向性を示す図である。
【図６】  この発明の実施の形態１を示す吹出しガードの音の指向性試験の配置を説明する斜視図である。
【図７】  この発明の実施の形態１を示す図６の試験の横から見た断面図である。
【図８】  この発明の実施の形態１を示す図６の吹出しガードの音の指向性試験の測定結果グラフである。
【図９】  この発明の実施の形態２を示す空気調和機の室外ユニットの斜視図である。
【図１０】  この発明の実施の形態３を示す空気調和機の室外ユニットの斜視図である。
【図１１】  この発明の実施の形態４を示す空気調和機の室外ユニットの空気吹出し口部分の要部縦断面図である。
【図１２】  この発明の実施の形態５を示す空気調和機の室外ユニットの上面図である。
【図１３】  この発明の実施の形態６を示す空気調和機の室外ユニットで、（ａ）は上面図、（ｂ）は正面図である。
【図１４】  この発明の実施の形態７を示す図１２に相当する空気調和機の室外ユニットの上面図である。
【図１５】  この発明の実施の形態８を示す図１４に相当する空気調和機の室外ユニットの上面図である。
【図１６】  この発明の実施の形態９を示す図１２に相当する空気調和機の室外ユニットの上面図である。
【図１７】  従来の空気調和機の室外ユニットの斜視図である。
【符号の説明】
１  室外ユニット本体（送風ユニットの本体）、２ａ  正面板、２ｂ  背面板、３ａ  左側面板、３ｂ  右側面板、４  上面板、５  底板、６ａ  正面空気吸込み口、６ｂ  背面空気吸込み口、６ｃ  左側面空気吸込み口、６ｄ  右側面空気吸込み口、７ａ，７ｂ，７ｃ，７ｄ  熱交換器、８  機械室、９  仕切板、１０圧縮機、１１  開口部、１２  ファン（送風機）、１３  空気吹出し口、１４吹出しガード（ガード）、１４ａ  リブ、１４ｂ  リブ、１４ｃ  リブ、１５ａ  縦方向の厚さ、１５ｂ  横方向の厚さ、１６  円柱、１７  気流、１８ａ，１８ｂ  等音圧線、１９ａ，１９ｂ  マイクロフォン、２０  駆動装置、２１  通風室、２２  無響室、１０１  室外ユニット本体、１０３ａ  左側面板、１０３ｂ  右側面板、１０４  上面板、１０６ａ  正面空気吸込み口、１０６ｂ  背面空気吸込み口、１０７ａ，１０７ｂ  熱交換器、１１２  プロペラファン、１１３  空気吹出し口、１１４  吹出しガード。
【図１】
0003846557.tif 000002
【図２】
0003846557.tif 000003
【図３】
0003846557.tif 000004
【図４】
0003846557.tif 000005
【図５】
0003846557.tif 000006
【図６】
0003846557.tif 000007
【図７】
0003846557.tif 000008
【図８】
0003846557.tif 000009
【図９】
0003846557.tif 000010
【図１０】
0003846557.tif 000011
【図１１】
0003846557.tif 000012
【図１２】
0003846557.tif 000013
【図１３】
0003846557.tif 000014
【図１４】
0003846557.tif 000015
【図１５】
0003846557.tif 000016
【図１６】
0003846557.tif 000017
【図１７】
0003846557.tif 000018